(57)【要約】【課題】光軸を中心とする周面方向からレンズ鏡胴内部へ外部光や塵埃などの侵入を防止し、小型軽量化されたレンズ鏡胴を提供する。【解決手段】レンズ鏡胴ＬＢ内に、一群カム溝穴１７と二群カム溝穴１８を含む開口隙部を介し光軸に直角な方向からの外部光や塵埃などの侵入防止対象体の侵入を防止する遮光シート１が、片面に塗布された接着剤により、カム環７上に一群カム溝穴１７、二群カム溝穴１８を含む開口隙部に対応する位置に接着固定され、さらにギヤ環８によりカム環７の基板１２側の端部位置のカム環７内に存在する開口隙部に対応する位置が遮蔽され、レンズ鏡胴ＬＢに対する光軸に直角な方向からの侵入防止対象体の侵入を、小型化された簡単な構成で製造コストを削減して、ほぼ完全に防止することが可能で、カメラ部が装着された状態では、侵入防止対象体の侵入を完全に防止した高品質画像の撮影動作が可能になる。【選択図】        図１
2004354879.tif 000002
【特許請求の範囲】
【請求項１】
固定枠に嵌合され、レンズ群を保持して光軸方向に移動自在で、カムフォロアが突出配設されているレンズ保持枠と、
前記固定枠に形成され、前記カムフォロアが係合配置されて前記レンズ保持枠の前記光軸を中心とする回動を規制するライナ溝穴と、
前記カムフォロアが前記ライナ溝穴を介して係合されるカム溝穴が形成され、前記レンズ保持枠の外周面に対向配設されるカム環と、
前記レンズ保持枠の前記レンズ群の通過光の出射側端部に設けられ、前記カム環を回動する回動手段と、
該回動手段による前記カム環の前記光軸を中心とする回動によって、前記ライナ溝穴と前記カム溝穴とに係合する前記カムフォロアが移動し、該移動に基づいて前記レンズ保持枠を前記光軸方向に移動させる光軸方向移動手段と、
前記光軸に直角な方向からレンズ鏡胴内部への外部光を含む侵入防止対象体の侵入を阻止する遮蔽手段とを有することを特徴とするレンズ鏡胴。
【請求項２】
遮蔽手段が遮光材で形成された遮蔽シートであることを特徴とする請求項１記載のレンズ鏡胴。
【請求項３】
遮蔽シートが粘着テープで形成され、カム環の外周面に接着配設されていることを特徴とする請求項２記載のレンズ鏡胴。
【請求項４】
遮蔽シートが、カム環の外周面に対して、侵入防止対象体のライナ溝穴とカム溝穴を含む開口隙部を介するレンズ鏡胴内部への侵入を防止する対応位置に接着配設されていることを特徴とする請求項３記載のレンズ鏡胴。
【請求項５】
遮蔽手段が、侵入防止対象体の出射側端部の開口隙部を介するレンズ鏡胴内部への侵入を防止する位置に配設された回動手段であることを特徴とする請求項１記載のレンズ鏡胴。
【請求項６】
請求項２ないし請求項４の何れかに記載のレンズ鏡胴において、回動手段が、侵入防止対象体の出射側端部を介してのレンズ鏡胴内部への侵入を防止する位置に配設されていることを特徴とするレンズ鏡胴。
【請求項７】
請求項１ないし請求項６の何れかに記載のレンズ鏡胴が装着されていることを特徴とする画像入力装置。
【請求項８】
画像入力装置がカメラであることを特徴とする請求項７記載の画像入力装置。
【発明の詳細な説明】
【０００１】
【発明の属する技術分野】
本発明はレンズ鏡胴と、レンズ鏡胴が装着された画像入力装置に関する。
【０００２】
【従来の技術】
カメラのズームレンズのレンズ鏡胴では、レンズを保持して光軸方向に移動してズーミング動作を行なうレンズ保持枠体と固定枠体との間や、レンズ保持枠体と他の枠体との間に隙間が存在し、この隙間からレンズ鏡胴内に外光が侵入し、カメラの撮影動作に悪影響を及ぼすことがあった。
このような外光の侵入を防止するために、従来は、ゴム材の一枚或いは二枚のリング状シートを、レンズ保持枠体と固定枠体との間や、レンズ保持枠体と他の枠体との間に配置し、リング状シートの内径部を湾曲させて、レンズ保持枠体の外周面に接合させることが行なわれている。
この場合、二枚のリング状シートを使用すると、一枚のリング状シートを使用する場合に発生し易い摺接磨耗と弾性劣化による経年に伴う光漏れを防止することが可能になるが、圧接力が増加しレンズ保持体の移動に必要な外力が増加するという問題が発生する。
【０００３】
この問題を解決するために、後記する特許文献１には、内径の異なる第１のリング状シートと第２のリング状シートとを重合一体化して、レンズ保持枠体と固定枠体との間や、レンズ保持枠体と他の枠体との間に、幅方向を光軸方向に直角にして配置し、且つ第１のリング状シートと第２のリング状シートの内径側を対向するように折り曲げて、レンズ保持枠体の外周面に接合することにより、一方のリング状シートのレンズ保持枠体との接合面積を小さくし、レンズ保持体の移動に必要な外力を減少可能にした光学装置用遮光カバーが開示されている。
【０００４】
【特許文献１】
特開２００１−１０００７２号公報
【０００５】
特許文献１に開示されている光学装置用遮光カバーによると、レンズ保持枠体と固定枠体との間や、レンズ保持枠体と他の枠体との間に生じる隙間からレンズ鏡胴内に外光が侵入することを防止し、且つレンズ保持体の移動に必要な外力を減少することが可能になるが、レンズ鏡胴の光軸を中心とする周面方向に存在する開口部からの侵入光を防止することはできない。この種のレンズ鏡胴では、レンズ保持体の光軸方向の移動に必要なライナ溝穴やカム溝穴が、レンズ鏡胴の光軸を中心とする周面方向に形成されているので、レンズ鏡胴の光軸を中心とする周面方向からの外光の侵入の防止が重要な課題となる。
この場合、レンズ鏡胴の外周全面を覆って外光を遮断する遮蔽壁を形成することも考えられるが、全体が大型化し重量も増大し、携帯性を損ねると共に製造コスト上でも問題が生じる。
【０００６】
【発明が解決しようとする課題】
本発明は、前述したような従来のこの種のレンズ鏡胴における外光の侵入防止の現状に鑑みてなされたものであり、その第１の目的は、外部光や異物などのレンズ鏡胴内部への侵入防止対象体が、光軸を中心とする周面方向から、レンズ鏡内部に侵入することを簡単な構成で防止可能で小型軽量化されたレンズ鏡胴を提供することにある。
また、本発明の第２の目的は、外部光や異物などのレンズ鏡胴内部への侵入防止対象体が、光軸を中心とする周面方向から、レンズ鏡内部に侵入することを簡単な構成で防止可能で小型軽量化されたレンズ鏡胴が装着される、カメラなどの画像入力装置を提供することにある。
【０００７】
【課題を解決するための手段】
前記第１の目的を達成するために、請求項１記載の発明は、固定枠に嵌合され、レンズ群を保持して光軸方向に移動自在で、カムフォロアが突出配設されているレンズ保持枠と、前記固定枠に形成され、前記カムフォロアが係合配置されて前記レンズ保持枠の前記光軸を中心とする回動を規制するライナ溝穴と、前記カムフォロアが前記ライナ溝穴を介して係合されるカム溝穴が形成され、前記レンズ保持枠の外周面に対向配設されるカム環と、前記レンズ保持枠の前記レンズ群の通過光の出射側端部に設けられ、前記カム環を回動する回動手段と、該回動手段による前記カム環の前記光軸を中心とする回動によって、前記ライナ溝穴と前記カム溝穴とに係合する前記カムフォロアが移動し、該移動に基づいて前記レンズ保持枠を前記光軸方向に移動させる光軸方向移動手段と、前記光軸に直角な方向からレンズ鏡胴内部への外部光を含む侵入防止対象体の侵入を阻止する遮蔽手段とを有することを特徴とするものである。
【０００８】
請求項１記載の発明によると、レンズ鏡体の沈胴状態から撮影状態への移行時には、固定枠に嵌合されレンズ群を保持して光軸方向に移動自在で、カムフォロアが突出配設されているレンズ保持枠のレンズ群の通過光の出射側端部に設けられた回動手段が作動状態となり、回動手段によって、レンズ保持枠の外周面に対向配設され、カムフォロアが係合されるカム溝穴が形成されているカム環が光軸を中心に回動される。
この状態で、固定枠に形成されているライナ溝穴へのカムフォロアの係合配置によって、レンズ保持枠の光軸を中心とする回動は規制されているが、ライナ溝穴に係合されたカムフォロアの先端部が、カム環に形成されているカム溝穴にも係合されているので、回動手段によるカム環の所定方向への回転によって、光軸方向移動手段が作動し、ライナ溝穴とカム溝穴とに係合するカムフォロアが移動し、該移動に基づいてレンズ保持枠が光軸方向に移動され、レンズ鏡胴は沈胴状態から撮影状態に移行する。
一方、遮蔽手段によって、光軸に直角な方向からレンズ鏡胴内部への外部光を含む侵入防止対象体の侵入が阻止されるので、沈胴状態から撮影状態に移行するレンズ鏡胴内部への光軸に直角な方向からの外部光や塵埃などの侵入防止対象体の侵入はほぼ完全に防止される。
【０００９】
同様に前記第１の目的を達成するために、請求項２記載の発明は、請求項１記載の発明において、遮蔽手段が遮光材で形成された遮蔽シートであることを特徴とするものである。
【００１０】
請求項２記載の発明によると、遮光材で形成された遮蔽シートを遮蔽手段とすることにより、遮光をさらに高めて請求項１記載の発明での作用が実行される。
【００１１】
同様に前記第１の目的を達成するために、請求項３記載の発明は、請求項２記載の発明において、遮蔽シートが粘着テープで形成され、カム環の外周面に接着配設されていることを特徴とするものである。
【００１２】
請求項３記載の発明によると、遮蔽シートが粘着テープで形成され、この粘着テープがカム環の外周面に接着配設されているので、請求項２記載の発明での作用に加えて、侵入防止対象体の侵入防止が簡単な工程で迅速に行なわれ、製造コストを低減し且つ全体の小型化が行なわれる。
【００１３】
同様に前記第１の目的を達成するために、請求項４記載の発明は、請求項３記載の発明において、遮蔽シートが、カム環の外周面に対して、侵入防止対象体のライナ溝穴とカム溝穴を含む開口隙部を介するレンズ鏡胴内部への侵入を防止する対応位置に接着配設されていることを特徴とするものである。
【００１４】
請求項４記載の発明によると、請求項３記載の発明での作用に加えて、カム環の外周面に対して、遮蔽シートが、ライナ溝穴とカム溝穴とを含む開口隙部を介する侵入防止対象体のレンズ鏡胴内部への侵入を防止する対応位置に接着配設されているので、侵入防止対象体のレンズ鏡胴内部への侵入がより確実に防止される。
【００１５】
同様に前記第１の目的を達成するために、請求項５記載の発明は、請求項１記載の発明において、遮蔽手段が、侵入防止対象体の出射側端部の開口隙部を介するレンズ鏡胴内部への侵入を防止する位置に配設された回動手段であることを特徴とするものである。
【００１６】
請求項５記載の発明によると、レンズ群の通過光の出射側端部の開口隙部を介する侵入防止対象体のレンズ鏡胴内部への侵入を防止する位置に配設された回動手段を遮蔽手段として、請求項１記載の発明での作用が実行される。
【００１７】
同様に前記第１の目的を達成するために、請求項６記載の発明は、請求項２ないし請求項４の何れかに記載のレンズ鏡胴において、回動手段が、侵入防止対象体の出射側端部を介してのレンズ鏡胴内部への侵入を防止する位置に配設されていることを特徴とするものである。
【００１８】
請求項６記載の発明によると、請求項２ないし請求項４の何れかに記載の発明での作用に加えて、回動手段によって、レンズ群の通過光の出射側端部の開口隙部を介する侵入防止対象体のレンズ鏡胴内部への侵入を防止することにより、侵入防止対象体のレンズ鏡胴内部への侵入防止作用がより高められる。
【００１９】
前記第２の目的を達成するために、請求項７記載の画像入力装置に係る発明は、請求項１ないし請求項６の何れかに記載のレンズ鏡胴が装着されていることを特徴とするものである。
【００２０】
請求項７記載の発明によると、請求項１ないし請求項６の何れかに記載のレンズ鏡胴が装着されている画像入力装置に対して、請求項１ないし請求項６の何れかに記載の発明での作用が実行され、画像入力装置に対して高品質画像の入力が行なわれる。
【００２１】
同様に前記第２の目的を達成するために、請求項８記載の発明は、請求項７記載の画像入力装置において、画像入力装置がカメラであることを特徴とするものである。
【００２２】
請求項８記載の発明によると、カメラを画像入力装置として、請求項７記載の発明での作用に基づき、カメラによる高品質画像の撮影動作が実行される。
【００２３】
【発明の実施の形態】
本発明を、レンズ鏡胴に係る一実施の形態に基づき、図１ないし図６を参照して以下に逐次説明する。
図１は本実施の形態の沈胴状態の構成を示す断面図、図２は本実施の形態の沈胴状態の構成を示す斜視図、図３は図１の固定枠の構成を示す斜視図、図４は図１のカム環の構成を示す説明図、図５は本実施の形態の撮影状態の構成を示す断面図、図６は本実施の形態の撮影状態の構成を示す斜視図である。
【００２４】
本実施の形態では、図１及び図２に示すように、基板１２に固定枠５が組み付け固定されており、固定枠５には、一群レンズＬ１を保持する一群レンズセル２が固定された一群枠３が、光軸方向に移動自在に嵌合されている。この固定枠５は、図３に示すように円筒状に形成され、その周面には光軸に平行に一群ライナ溝穴５ａと二群ライナ溝穴５ｂとが形成されている。
一群枠３にはその外周面から一体に突出して、ライナフォロア部３ａが形成され、ライナフォロア部３ａの突出端にカムフォロア止めねじ４ａによってカムフォロア４が固定されている。
そして、ライナフォロア部３ａが、固定枠５に形成された一群ライナ溝穴５ａに係合されて、一群枠３の光軸を中心とする回動を規制しており、ライナフォロア部３ａの突出端に形成されるカムフォロア４が、固定枠５の周面に近接対向して、光軸を中心に回動自在に配設されるカム環７に、図４に示すように形成される一群カム溝穴１７に係合されている。
【００２５】
一方、シャッタ６ａと二群レンズＬ２とが、二群枠６に保持されており、この二群枠６は固定枠５に光軸方向に移動自在に嵌合されている。そして、二群枠６の外周面から突出するように、二群枠６に圧入固定されるカムピンによって、二群枠６の外周面から突出してカムフォロア１９が配設され、このカムフォロア１９が、二群ライナ溝穴５ｂに係合され、二群枠６の光軸を中心とする回動を規制しており、さらにカムフォロア１９の先端部は、固定枠５の周面に近接対向して配設されるカム環７に形成される二群カム溝穴１８に係合されている。さらに、一群枠３内には、一群枠３と二群枠６間のがた取り用のバネ１３が配設されている。
【００２６】
ところで、基板１２にはＣＣＤ押さえ１１が固定され、このＣＣＤ押さえ１１にはＣＣＤ１０が保持され、基板１２に固定されたローパスフィルタ９が、ＣＣＤ１０に近接対向して配設されている。また、モータ２０が、基板１２に固定されてカム環７の内部に配設され、さらに、カム環７の内部には、三群レンズＬ３を保持した三群枠８が、モータ２０によって光軸方向に移動自在に配設されている。
【００２７】
本実施の形態では、一群カム溝穴１７、二群カム溝穴１８を含む開口隙部を介して、光軸に直角な方向からレンズ鏡胴内部に侵入する外部光や塵埃などの侵入防止対象体を防止する遮光性を有する弾性樹脂材の遮光シート１が、図２に示すように、遮光シート１に設けた位置決め穴部１ａと、カム環７の外周上に設けた位置決めボス７ａとにより、カム環７上において位置決めされ、遮光シート１の片面に塗布された接着剤によりカム環７に接着固定されている。この場合、レンズ鏡胴ＬＢに対して、予め位置が設定される一群カム溝穴１７、二群カム溝穴１８を含む開口隙部に対応するカム環７上の位置に、遮光シート１が接着固定されている。
なお、より容易に接着を行なわせるために、遮光シート１自体を片面粘着テープ或いは、両面粘着テープで構成することも可能である。
【００２８】
一方、カム環７の基板１２側の端部において、図２に示すように、カム環７にギヤ環８が固定され、基板１２にズーム駆動伝達系ギヤ部１５が取り付けられ、ズーム駆動伝達系ギヤ部１５にギヤ環７を回動駆動する駆動ギヤ１６が連結され、カム環７の周面に配設されたズームモータ１４によって、ベルトにより駆動されるズーム駆動伝達ギヤ部１５を介して駆動ギヤ１６が回転され、駆動ギヤ１６の回転によって、ギヤ環７が光軸を中心に選択された方向に回転されるように構成されている。
ここで、ギヤ環８、駆動ギヤ１６、ズーム駆動伝達系ギヤ部１５及びズームモータ１４が回動手段を構成している。そして、回動手段を構成するギヤ環８によつて、カム環７の基板１２側端部において、カム環７内に存在する開口隙部に対応する位置がギヤ環８によって遮蔽されている。
【００２９】
この場合、遮光シート１は、ズームモータ１４の配設領域が切り欠けられており、このような遮光シート１を位置決め穴部１ａと、カム環７の外周上に設けた位置決めボス７ａとにより位置決めして、基板１２側の端部位置において、カム環７内に位置する開口隙部を適確に遮蔽するように、遮光シート１の高精度の接着固定が簡単且つ迅速に行なわれるように構成されている。
このような構成の本実施の形態に対して、基板１２に画像入力装置として、例えば、撮影電子光学系を備えたカメラ部が取り付けられることによりデジタルカメラなどのカメラが構成される。
【００３０】
以上に説明した構成のレンズ鏡胴に係る本実施の形態の動作と、本実施の形態が装着されたカメラの動作を説明する。
レンズ鏡胴ＬＢに対して、図１及び図２に示す沈胴状態から、図５及び図６に示す撮影状態への移行を行なう場合には、オペレータが入力するスタート信号に基づき、固定枠５に嵌合され一群レンズ群Ｌ１を保持して光軸方向に移動自在で、カムフォロア４が突出配設されている一群枠３と、同様に固定枠５に嵌合され二群レンズ群Ｌ２を保持して光軸方向に移動自在で、カムフォロア１９が突出配設されている二群枠６とにそれぞれ設けられたレンズ群Ｌ１、Ｌ２の通過光の出射側端部に設けられたズームモータ１４が作動状態となる。
そして、ズームモータ４が所定方向に回転することにより、ズーム駆動伝達ギヤ部１５及び駆動ギヤ１６を介して、一群枠３の外周面に対向配設され、カムフォロア４、１９がそれぞれ係合される一群カム溝穴１７と二群カム溝穴１８とが形成されているカム環７が光軸を中心に所定方向に回転する。
【００３１】
この状態では、固定枠５に形成されている一群ライナ溝穴５ａにカムフォロア４が、二群ライナ溝穴５ｂにカムフォロア１９がそれぞれ係合されていて、一群枠３及び二群枠６の光軸を中心とする回動は規制されているが、一群ライナ溝穴５ａ、二群ライナ溝穴５ｂにそれぞれ係合されたカムフォロア４、１９の先端部が、カム環７に形成されている一群カム溝穴１７、二群カム溝穴１８にも、それぞれ係合されている。
このために、駆動ギヤ１６によるギヤ環８を介してのカム環７の所定方向への回転によって、一群ライナ溝穴５ａと一群カム溝穴１７とに係合するカムフォロア４と、二群ライナ溝穴５ｂと二群カム溝穴１８とに係合するカムフォロア１９とが移動し、該移動に基づいて一群枠３と二群枠６とが光軸方向に移動し、さらに、モータ２０の駆動によって、三群枠８が光軸方向に移動し、レンズ鏡胴は図１及び図２に示す沈胴状態から、図５及び図６に示す撮影状態に移行し、レンズ鏡胴ＬＢに対して所定のズーム撮影条件が設定される。
そして、レンズ鏡胴ＬＢの基板１２に装着される撮影電子光学系を備えたカメラ部により構成されるデジタルカメラにより、設定されたズーム撮影条件での撮影動作が実行される。
この場合、レンズ鏡胴を体内に挿入可能な微小型構造にし、画像入力装置を患者の体内の所定部位を撮影する内視鏡カメラとし、全体を内視治療システムに組み込んで使用することも可能である。
【００３２】
ところで、本実施の形態では、すでに説明したように、レンズ鏡胴ＬＢにおいて、一群カム溝穴１７、二群カム溝穴１８を含む開口隙部を介して、光軸に直角な方向からレンズ鏡胴ＬＢ内部に侵入する外部光や塵埃などの侵入防止対象体を防止する遮光性を有する弾性樹脂材の遮光シート１が、カム環７上に遮光シート１に設けた位置決め穴部１ａと、カム環７の外周上に設けた位置決めボス７ａにより位置決めされ、遮光シート１の片面に塗布された接着剤により、予め特定される一群カム溝穴１７、二群カム溝穴１８を含む開口隙部に対応するカム環７の外周位置に接着固定されている。
さらに、ギヤ環８によつて、カム環７の基板１２側の端部において、カム環７内に存在する開口隙部に対応する位置が遮蔽されている。
【００３３】
このために、本実施の形態によると、レンズ鏡胴ＬＢに対する光軸に直角な方向からの外部光や塵埃などの侵入防止対象体の侵入を、小型化された簡単な構成で製造コストを削減して、ほぼ完全に防止することが可能になり、カメラ部が装着されて行なう撮影を、外部光や塵埃などの侵入を完全に防止した状態で行い、高品質の画像撮影を行なうことが可能になる。
また、遮光シート１が、カム環７上に遮光シート１に設けた位置決め穴部１ａと、カム環７の外周上に設けた位置決めボス７ａにより位置決めされ、遮光シート１の片面に塗布された接着剤により接着固定されているので、遮光シート１に対してカム環７の周面上に配置される部材位置に切り欠きを形成することにより、カム環７上に配置される部材に左右されずに、カム環７上に遮光シート１を簡単に接着可能であり、カム環７上に配置される部材の自由度を高めて、各種の形状のレンズ鏡胴に対して、簡単に遮光シート１による遮光を実現することが可能になる。
【００３４】
【発明の効果】
請求項１記載の発明によると、レンズ鏡体の沈胴状態から撮影状態への移行時には、固定枠に嵌合されレンズ群を保持して光軸方向に移動自在で、カムフォロアが突出配設されているレンズ保持枠のレンズ群の通過光の出射側端部に設けられた回動手段が作動状態となり、回動手段によって、レンズ保持枠の外周面に対向配設され、カムフォロアが係合されるカム溝穴が形成されているカム環が光軸を中心に回動される。
この状態で、固定枠に形成されているライナ溝穴へのカムフォロアの係合配置によって、レンズ保持枠の光軸を中心とする回動は規制されているが、ライナ溝穴に係合されたカムフォロアの先端部が、カム環に形成されているカム溝穴にも係合されているので、回動手段によるカム環の所定方向への回転によって、光軸方向移動手段が作動し、ライナ溝穴とカム溝穴とに係合するカムフォロアが移動し、該移動に基づいてレンズ保持枠が光軸方向に移動され、レンズ鏡胴は沈胴状態から撮影状態に移行する。
この場合、遮蔽手段によって、光軸に直角な方向からレンズ鏡胴内部への外部光を含む侵入防止対象体の侵入が阻止されるので、沈胴状態から撮影状態に移行するレンズ鏡胴内部への光軸に直角な方向からの外部光や塵埃などの侵入防止対象体の侵入をほぼ完全に防止することが可能になる。
【００３５】
請求項２記載の発明によると、遮光材で形成された遮蔽シートを遮蔽手段とすることにより、遮光効果をさらに高めて請求項１記載の発明で得られる効果を実現することが可能になる。
【００３６】
請求項３記載の発明によると、請求項２記載の発明で得られる効果に加えて、遮蔽シートが粘着テープで形成され、この粘着テープがカム環の外周面に接着配設されているので、侵入防止対象体の侵入防止を簡単な工程で迅速に行い、製造コストを低減し且つ全体の小型化を実現することが可能になる。
【００３７】
請求項４記載の発明によると、請求項３記載の発明で得られる効果に加えて、遮蔽シートが、カム環の外周面に対して、侵入防止対象体のライナ溝穴とカム溝穴を含む開口隙部を介するレンズ鏡胴内部への侵入を防止する対応位置に接着配設されているので、侵入防止対象体のレンズ鏡胴内部への侵入をより効果的に防止することが可能になる。
【００３８】
請求項５記載の発明によると、レンズ群の通過光の出射側端部の開口隙部を介する侵入防止対象体のレンズ鏡胴内部への侵入を防止する位置に配設された回動手段を遮蔽手段として、請求項１記載の発明で得られる効果を実現することが可能になる。
【００３９】
請求項６記載の発明によると、請求項２ないし請求項４の何れかに記載の発明で得られる効果に加えて、回動手段によって、レンズ群の通過光の出射側端部の開口隙部を介する侵入防止対象体のレンズ鏡胴内部への侵入を防止することにより、侵入防止対象体のレンズ鏡胴内部への侵入防止効果をより高めることが可能になる。
【００４０】
請求項７記載の発明によると、請求項１ないし請求項６の何れかに記載のレンズ鏡胴が装着されている画像入力装置に対して、請求項１ないし請求項６の何れかに記載の発明で得られる効果に基づき、高品質の画像の入力が可能になる。
【００４１】
請求項８記載の発明によると、カメラを画像入力装置として、請求項７記載の発明で得られる効果に基づき、高品質の画像撮影を行なうことが可能になる。
【図面の簡単な説明】
【図１】本発明のレンズ鏡胴に係る実施の形態の沈胴状態の構成を示す断面図である。
【図２】同実施の形態の沈胴状態の構成を示す斜視図である。
【図３】図１の固定枠の構成を示す斜視図である。
【図４】図１のカム環の構成を示す説明図である。
【図５】同実施の形態の撮影状態の構成を示す断面図である。
【図６】同実施の形態の撮影状態の構成を示す斜視図である。
【符号の説明】
１  遮光シート
３  一群枠
４  カムフォロア
５  固定枠
５ａ  一群ライナ溝穴
５ｂ  二群ライナ溝穴
６  二群枠
７  カム環
８  三群枠
１２  基板
１４  ズームモータ
１６  駆動ギヤ
１７  一群カム溝穴
１８  二群カム溝穴
１９  カムフォロア
【図１】
2004354879.tif 000003
【図２】
2004354879.tif 000004
【図３】
2004354879.tif 000005
【図４】
2004354879.tif 000006
【図５】
2004354879.tif 000007
【図６】
2004354879.tif 000008